(57)【要約】  【課題】  ＤＶＤ規格に違反することなく、再生中に、ＤＶＤ規格で禁止されているユーザ操作でも処理を実行可能にする機能を有する光ディスク再生装置を提供する。  【解決手段】  再生中にユーザ操作があった場合、当該ユーザ操作がユーザ操作認識手段により認識され、前記認識された当該ユーザ操作が光ディスク上の制御情報のナビゲーションパックに含まれるユーザ操作制御情報により禁止されているか許可されているかが操作禁止／許可判定手段により判定される。当該ユーザ操作が禁止されていると判定されたときは、当該再生は再生一旦停止手段により一旦停止される。当該再生が一旦停止された後、停止後再生手段により、当該ユーザ操作による処理が実行され、指定された情報が再生される。【選択図】      図４
2006338705.tif 000002
【特許請求の範囲】
【請求項１】
光ディスクに記録された情報を再生する光ディスク再生装置において、光ディスクの情
報の再生中にユーザ操作があった場合、当該ユーザ操作を認識するユーザ操作認識手段と
、前記認識された当該ユーザ操作が前記光ディスク上の制御情報のナビゲーションパック
に含まれるユーザ操作制御情報により禁止されているか許可されているかを判定する操作
禁止／許可判定手段と、当該ユーザ操作が禁止されていると前記操作禁止／許可判定手段
により判定されたときは、当該再生を一旦停止させる再生一旦停止手段と、当該再生が前
記再生一旦停止手段により一旦停止された後、当該ユーザ操作による処理を実行させ指定
された情報を再生させる停止後再生手段とを有するシステムコントローラを備えたことを
特徴とする光ディスク再生装置。
【請求項２】
光ディスクに記録された情報を再生する光ディスク再生装置において、光ディスクの情
報の再生中にユーザ操作があった場合、当該ユーザ操作が禁止されているか許可されてい
るかを判定し、禁止されているとき、当該再生を一旦停止させ、この後、当該ユーザ操作
による処理を実行させ、指定された情報を再生させるように制御を行うシステムコントロ
ーラを備えたことを特徴とする光ディスク再生装置。
【請求項３】
当該ユーザ操作が禁止されているか許可されているかの判定は、光ディスク上の制御情
報のナビゲーションパックに含まれるユーザ操作制御情報により行うことを特徴とする請
求項２に記載の光ディスク再生装置。
【請求項４】
前記システムコントローラは、光ディスクの情報の再生中にユーザ操作があった場合、
当該ユーザ操作を認識するユーザ操作認識手段と、前記認識された当該ユーザ操作が前記
光ディスク上の制御情報のナビゲーションパックに含まれるユーザ操作制御情報により禁
止されているか許可されているかを判定する操作禁止／許可判定手段と、当該ユーザ操作
が禁止されていると前記操作禁止／許可判定手段により判定されたときは、当該再生を一
旦停止させる再生一旦停止手段と、当該再生が前記再生一旦停止手段により一旦停止され
た後、当該ユーザ操作による処理を実行させ指定された情報を再生させる停止後再生手段
とを有することを特徴とする請求項２に記載の光ディスク再生装置。
【発明の詳細な説明】
【技術分野】
【０００１】
本発明は、光ディスクに記録された情報を再生する光ディスク再生装置に関し、特に、
ユーザ操作の可否を制御するユーザ操作制御情報が付加的に記録されている光ディスクの
再生中のユーザ操作についての処理に関する。
【背景技術】
【０００２】
近年において普及してきているＤＶＤ（デジタル・バーサタイル・ディスク）ビデオの
光ディスクでは、ディスクメーカ側において、頭出し、早送り、早戻しなどの機能につい
てのユーザ操作（ＵＯＰ）を禁止する情報を書き込むことによって、ユーザ操作を制限す
ることができるようになっている。
【０００３】
図５はＤＶＤビデオの光ディスクへの禁止情報の書込みによりユーザ操作を制御し得る
ユーザ機能を示す図である。この図５において、Ｙｅｓは、対応するユーザ機能について
のユーザ操作が、対応するタイトル・サーチポインタ・テーブル（ＴＴ＿ＳＲＰＴ）、プ
ログラム・チェーン情報（ＰＧＣＩ）またはビデオ・オブジェクト・ユニット（ＶＯＢＵ
）におけるユーザ操作ビット（ＵＯＰビット）により制御することができることを示し、
Ｎｏは制御できないことを示している。
【０００４】
このような光ディスクを再生する光ディスク再生装置では、光ディスクを再生し、図５
に示すようなユーザ操作の許可または禁止を示すユーザ操作制御情報、即ち、光ディスク
上の制御情報のナビゲーションパック（ＮＶ＿ＰＣＫ）に含まれるビデオ・オブジェクト
・ユニット（ＶＯＢＵ）のユーザ操作制御（ＶＯＢＵ＿ＵＯＰ＿ＣＴＬ）情報を読み込ん
だ後、ユーザが禁止されているユーザ操作を行った場合には、当該光ディスクでは、その
ユーザ操作が禁止されていることを示す旨の警告をマーク表示などにより行うと共に、そ
のユーザ操作に対応するユーザ機能を実行しないようにしている。
【特許文献１】特開２００２−２６９７５４号公報
【特許文献２】特開２００２−３１３０２９号公報
【特許文献３】特開２００４−３４８９６６号公報
【発明の開示】
【発明が解決しようとする課題】
【０００５】
前述したように従来の光ディスク再生装置では、光ディスクに予め記録されたユーザ操
作制御情報でユーザ操作（ＵＯＰ）によるキー入力を禁止するか許可するかを判定してい
る。したがって、再生している箇所が、例えば、タイトルを指定するサーチの処理を示す
Ｔｉｔｌｅ＿Ｐｌａｙ（）を禁止している場合、再生中にタイトルサーチをユーザがサー
チキーの操作で行おうとしても、そのサーチは実行されない。このときは、禁止マークな
どが表示され、処理が無効となる。
【０００６】
その他、メニューへの遷移の処理を示すＭｅｎｕ＿Ｃａｌｌ（）、タイトルとチャプタ
との両方を指定するサーチの処理を示すＰＴＴ＿Ｐｌａｙ（）、チャプタを指定するサー
チの処理を示すＰＴＴ＿Ｓｅａｒｃｈ（）、タイトルと時間との両方を指定するサーチの
処理を示すＴｉｍｅ＿Ｐｌａｙ（）、時間を指定するサーチの処理を示すＴｉｍｅ＿Ｓｅ
ａｒｃｈ（）についても、再生中にユーザがキー操作で行おうとしても、その処理は実行
されない。
【０００７】
上記のような処理は、ＤＶＤ規格で定められているので、再生中には、ユーザ操作を受
け付けず、実行されないようになっている。したがって、ディスク制作者（記録情報の作
者）は、例えば、宣伝広告をユーザ側に見せたい場合、再生中には、その宣伝広告の部分
が飛ばないように、上記の処理が実行されないようにしているが、ユーザにとっては、何
回も宣伝広告を見たくない場合がある。
【０００８】
しかしながら、従来の光ディスク再生装置では、再生中には、Ｔｉｔｌｅ＿Ｐｌａｙ（
）、Ｍｅｎｕ＿Ｃａｌｌ（）、ＰＴＴ＿Ｐｌａｙ（）、ＰＴＴ＿Ｓｅａｒｃｈ（）、Ｔｉ
ｍｅ＿Ｐｌａｙ（）、Ｔｉｍｅ＿Ｓｅａｒｃｈ（）などの処理は実行されないようになっ
ているので、ユーザにとっては使い勝手が悪い場合があるという課題が生じる。
【０００９】
なお、特許文献１の従来技術は、再生を開始する前に、ユーザ操作の可否を制御する可
否制御情報を記録媒体から読み出すことにより、禁止されているユーザ操作を再生開始前
に知ることができるようにしているが、再生中にユーザ操作を禁止している、例えば、Ｔ
ｉｔｌｅ＿Ｐｌａｙ（）、Ｍｅｎｕ＿Ｃａｌｌ（）、ＰＴＴ＿Ｐｌａｙ（）、ＰＴＴ＿Ｓ
ｅａｒｃｈ（）、Ｔｉｍｅ＿Ｐｌａｙ（）、Ｔｉｍｅ＿Ｓｅａｒｃｈ（）などの処理を実
行できるようにしたものではない。
【００１０】
特許文献２の従来技術は、ユーザにより指定された操作を実行できないときは、タイト
ル制作者または装置仕様により操作が禁止されている場合は、タイトル制作者または装置
仕様により禁止されている旨のメッセージを表示装置に表示しているが、この従来技術も
、再生中にユーザ操作を禁止している、例えば、Ｔｉｔｌｅ＿Ｐｌａｙ（）、Ｍｅｎｕ＿
Ｃａｌｌ（）、ＰＴＴ＿Ｐｌａｙ（）、ＰＴＴ＿Ｓｅａｒｃｈ（）、Ｔｉｍｅ＿Ｐｌａｙ
（）、Ｔｉｍｅ＿Ｓｅａｒｃｈ（）などの処理を実行できるようにしたものではない。
【００１１】
特許文献３の従来技術は、再生制御情報に含まれるユーザ操作制御情報からユーザ操作
の可否を決めるユーザ操作ビット群を取り出し、そのユーザ操作ビット群がユーザ操作を
禁止する内容を含むときに、このユーザ操作群の内容で禁止されない操作キーを通知また
は選択的に表示するようにしているが、この従来技術も、再生中にユーザ操作を禁止して
いる、例えば、Ｔｉｔｌｅ＿Ｐｌａｙ（）、Ｍｅｎｕ＿Ｃａｌｌ（）、ＰＴＴ＿Ｐｌａｙ
（）、ＰＴＴ＿Ｓｅａｒｃｈ（）、Ｔｉｍｅ＿Ｐｌａｙ（）、Ｔｉｍｅ＿Ｓｅａｒｃｈ（
）などの処理を実行できるようにしたものではない。
【００１２】
本発明は、上記のような課題を解決するためになされたもので、ＤＶＤ規格に違反する
ことなく、再生中に、ＤＶＤ規格で禁止されているユーザ操作でも処理を実行可能にする
機能を有する光ディスク再生装置を提供することを目的とする。
【課題を解決するための手段】
【００１３】
上記目的を達成するために、請求項１の発明は、光ディスクの情報の再生中にユーザ操
作があった場合、当該ユーザ操作を認識するユーザ操作認識手段と、前記認識された当該
ユーザ操作が前記光ディスク上の制御情報のナビゲーションパックに含まれるユーザ操作
制御情報により禁止されているか許可されているかを判定する操作禁止／許可判定手段と
、当該ユーザ操作が禁止されていると前記操作禁止／許可判定手段により判定されたとき
は、当該再生を一旦停止させる再生一旦停止手段と、当該再生が前記再生一旦停止手段に
より一旦停止された後、当該ユーザ操作による処理を実行させ指定された情報を再生させ
る停止後再生手段とを有するシステムコントローラを備えたことを特徴とする光ディスク
再生装置を提供する。
【００１４】
この構成において、光ディスクの情報の再生中にユーザ操作があった場合、当該ユーザ
操作がユーザ操作認識手段により認識され、前記認識された当該ユーザ操作が前記光ディ
スク上の制御情報のナビゲーションパックに含まれるユーザ操作制御情報により禁止され
ているか許可されているかが操作禁止／許可判定手段により判定される。当該ユーザ操作
が禁止されていると判定されたときは、当該再生は再生一旦停止手段により一旦停止され
る。当該再生が一旦停止された後、停止後再生手段により、当該ユーザ操作による処理が
実行され、指定された情報が再生される。
【００１５】
この構成によれば、再生中にユーザ操作を禁止している、例えば、Ｔｉｔｌｅ＿Ｐｌａ
ｙ（）、Ｍｅｎｕ＿Ｃａｌｌ（）、ＰＴＴ＿Ｐｌａｙ（）、ＰＴＴ＿Ｓｅａｒｃｈ（）、
Ｔｉｍｅ＿Ｐｌａｙ（）、Ｔｉｍｅ＿Ｓｅａｒｃｈ（）などの処理をＤＶＤ規格に違反す
ることなく、再生中のユーザ操作でも処理を実行可能にしている。
【００１６】
請求項２の発明は、光ディスクの情報の再生中にユーザ操作があった場合、当該ユーザ
操作が禁止されているか許可されているかを判定し、禁止されているとき、当該再生を一
旦停止させ、この後、当該ユーザ操作による処理を実行させ、指定された情報を再生させ
るように制御を行うシステムコントローラを備えたことを特徴とする光ディスク再生装置
を提供する。
【００１７】
この構成において、光ディスクの情報の再生中にユーザ操作があった場合、当該ユーザ
操作が禁止されているか許可されているかが判定され、禁止されているとき、当該再生が
一旦停止され、この後、当該ユーザ操作による処理が実行され、指定された情報が再生さ
れる。
【００１８】
この構成によれば、再生中にユーザ操作を禁止している、例えば、Ｔｉｔｌｅ＿Ｐｌａ
ｙ（）、Ｍｅｎｕ＿Ｃａｌｌ（）、ＰＴＴ＿Ｐｌａｙ（）、ＰＴＴ＿Ｓｅａｒｃｈ（）、
Ｔｉｍｅ＿Ｐｌａｙ（）、Ｔｉｍｅ＿Ｓｅａｒｃｈ（）などの処理をＤＶＤ規格に違反す
ることなく、再生中のユーザ操作でも処理を実行可能にしている。
【００１９】
請求項３の発明では、当該ユーザ操作が禁止されているか許可されているかの判定は、
光ディスク上の制御情報のナビゲーションパックに含まれるユーザ操作制御情報により行
うので、当該ユーザ操作が禁止されているか許可されているかの判定が可能になる。
【００２０】
請求項４の発明は、請求項２の発明において、前記システムコントローラは、光ディス
クの情報の再生中にユーザ操作があった場合、当該ユーザ操作を認識するユーザ操作認識
手段と、前記認識された当該ユーザ操作が前記光ディスク上の制御情報のナビゲーション
パックに含まれるユーザ操作制御情報により禁止されているか許可されているかを判定す
る操作禁止／許可判定手段と、当該ユーザ操作が禁止されていると前記操作禁止／許可判
定手段により判定されたときは、当該再生を一旦停止させる再生一旦停止手段と、当該再
生が前記再生一旦停止手段により一旦停止された後、当該ユーザ操作による処理を実行さ
せ指定された情報を再生させる停止後再生手段とを有する。
【００２１】
したがって、前記システムコントローラは、ユーザ操作認識処理、操作禁止／許可判定
処理、再生一旦停止処理、および停止後再生処理が可能になり、これにより、再生中にユ
ーザ操作を禁止している処理をＤＶＤ規格に違反することなく実行することが可能になる
。
【発明の効果】
【００２２】
以上のように本発明によれば、光ディスクの情報の再生中にユーザ操作があった場合、
当該ユーザ操作を認識するユーザ操作認識手段と、前記認識された当該ユーザ操作が前記
光ディスク上の制御情報のナビゲーションパックに含まれるユーザ操作制御情報により禁
止されているか許可されているかを判定する操作禁止／許可判定手段と、当該ユーザ操作
が禁止されていると前記操作禁止／許可判定手段により判定されたときは、当該再生を一
旦停止させる再生一旦停止手段と、当該再生が前記再生一旦停止手段により一旦停止され
た後、当該ユーザ操作による処理を実行させ指定された情報を再生させる停止後再生手段
とを有するシステムコントローラを備えたので、再生中にユーザ操作を禁止している、例
えば、Ｔｉｔｌｅ＿Ｐｌａｙ（）、Ｍｅｎｕ＿Ｃａｌｌ（）、ＰＴＴ＿Ｐｌａｙ（）、Ｐ
ＴＴ＿Ｓｅａｒｃｈ（）、Ｔｉｍｅ＿Ｐｌａｙ（）、Ｔｉｍｅ＿Ｓｅａｒｃｈ（）などの
処理をＤＶＤ規格に違反することなく、再生中のユーザ操作でも処理を実行可能にしてい
る。
【００２３】
また、本発明によれば、光ディスクの情報の再生中にユーザ操作があった場合、当該ユ
ーザ操作が禁止されているか許可されているかを判定し、禁止されているとき、当該再生
を一旦停止させ、この後、当該ユーザ操作による処理を実行させ、指定された情報を再生
させるように制御を行うシステムコントローラを備えたので、再生中にユーザ操作を禁止
している、例えば、Ｔｉｔｌｅ＿Ｐｌａｙ（）、Ｍｅｎｕ＿Ｃａｌｌ（）、ＰＴＴ＿Ｐｌ
ａｙ（）、ＰＴＴ＿Ｓｅａｒｃｈ（）、Ｔｉｍｅ＿Ｐｌａｙ（）、Ｔｉｍｅ＿Ｓｅａｒｃ
ｈ（）などの処理をＤＶＤ規格に違反することなく、再生中のユーザ操作でも処理を実行
可能にしている。
【発明を実施するための最良の形態】
【００２４】
以下、添付図面を参照しつつ、本発明の実施の形態について説明する。図１は本発明の
一実施形態に係る光ディスク再生装置の構成を示すブロック図である。
【００２５】
この光ディスク再生装置は、光ディスク（ＤＶＤ等）１を回転させるスピンドルモータ
５と、光ディスク１に記録された情報を再生するためのレーザ光を出射すると共に光ディ
スク１からの反射光を受光する光ピックアップ２と、この光ピックアップ２を光ディスク
１の半径方向に移動させるためのスレッド３と、装置全体を制御するシステムコントロー
ラ２２と、このシステムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２６】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータと映像データとを分離す
るストリーム分離部９とを備えている。
【００２７】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力された映像デー
タを入力して所定のデコード処理を行うビデオデコーダ１５と、このビデオデコーダ１５
でのデコード処理を行うためにデータを一時的に格納するＲＡＭ１４とを備えている。
【００２８】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２９】
また、この光ディスク再生装置は、システムコントローラ２２に対して、再生指示を与
えるための再生キー（図示せず）、再生停止を指示するための停止キー（図示せず）、早
送りキー（図示せず）、早戻しキー（図示せず）、その他各種操作キー（図示せず）を有
するリモコン２６を備えると共に、リモコン２６の操作キーよりは少ない個数の操作キー
を有し、またリモコン２６からの操作指令を示す光信号を受信する受光手段（図示せず）
により光信号を電気信号に変換してシステムコントローラ２２に指令信号を入力する操作
部２１を備えている。
【００３０】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、このＣＰＵ２４の演算処理に必要なデータを一時的に格納する
ＲＡＭ２７と、操作部２１またはリモコン２６からの操作内容などを表示したりする本体
側の表示部２５とを備えている。
【００３１】
システムコントローラ２２は、本実施形態の特徴とする構成要素として、光ディスク１
の情報の再生中にユーザ操作があった場合、当該ユーザ操作を認識するユーザ操作認識手
段２２１と、前記認識された当該ユーザ操作が光ディスク１上の制御情報のナビゲーショ
ンパックに含まれるユーザ操作制御情報により禁止されているか許可されているかを判定
する操作禁止／許可判定手段２２２と、当該ユーザ操作が禁止されていると操作禁止／許
可判定手段２２２により判定されたときは、当該再生を一旦停止させる再生一旦停止手段
２２３と、当該再生が前記再生一旦停止手段により一旦停止された後、当該ユーザ操作に
よる処理を実行させ指定された情報を再生させる停止後再生手段２２４とを有する。
【００３２】
図２は本実施形態においてＤＶＤビデオの光ディスクに記録されているデータ構造を示
す図である。図２において、ビデオ・オブジェクト・セット（ＶＯＢＳ）は、複数のビデ
オ・オブジェクト（ＶＯＢ）、即ち、（Ｖ０Ｂ＿ＩＤＮ１），（Ｖ０Ｂ＿ＩＤＮ２），・
・・，（Ｖ０Ｂ＿ＩＤＮｉ）から構成される。前記ＩＤＮ１，ＩＤＮ２，・・・，ＩＤＮ
ｉは、識別番号を示す。そして、各ビデオ・オブジェクト（ＶＯＢ）は複数のセル（Ｃｅ
ｌｌ）から構成されている。例えば、ビデオ・オブジェクト（Ｖ０Ｂ＿ＩＤＮ１）は、複
数のセル（Ｃ＿ＩＤＮ１），（Ｃ＿ＩＤＮ２），・・・，（Ｃ＿ＩＤＮｊ）から構成され
る。なお、前記ＩＤＮ１，ＩＤＮ２，・・・，ＩＤＮｊは、識別番号を示す。
【００３３】
例えば、セル（Ｃ＿ＩＤＮ１）は、複数のビデオ・オブジェクト・ユニット（ＶＯＢＵ
）から構成される。各ビデオ・オブジェクト・ユニット（ＶＯＢＵ）は、ナビゲーション
パック（ＮＶ＿ＰＣＫ）、オーディオパック（Ａ＿ＰＣＫ）、ビデオパック（Ｖ＿ＰＣＫ
）、およびサブピクチャパック（ＳＰ＿ＰＣＫ）を含み構成される。
【００３４】
前記ナビゲーションパック（ＮＶ＿ＰＣＫ）および前記オーディオパック（Ａ＿ＰＣＫ
）は、例えば２０４８バイトで構成され、例えば、１４バイトのパックヘッダー（Ｐａｃ
ｋ  ｈｅａｄｅｒ）、２４バイトのシステムヘッダー（Ｓｙｓｔｅｍ  ｈｅａｄｅｒ）、
６バイトのパケットヘッダー（Ｐａｃｋｅｔ  ｈｅａｄｅｒ）、１バイトのサブストリー
ム識別子（Ｓｕｂ＿ｓｔｒｅａｍ＿ｉｄ）、９７９バイトのプレイコントロール情報デー
タ（ＰＣＩ  ｄａｔａ）、６バイトのパケットヘッダー（Ｐａｃｋｅｔ  ｈｅａｄｅｒ）
、１バイトのサブストリーム識別子（Ｓｕｂ＿ｓｔｒｅａｍ＿ｉｄ）、および１０１７バ
イトのデータサーチ情報データ（ＤＳＩ  ｄａｔａ）から構成される。
【００３５】
６バイトのパケットヘッダー（Ｐａｃｋｅｔ  ｈｅａｄｅｒ）と１バイトのサブストリ
ーム識別子（Ｓｕｂ＿ｓｔｒｅａｍ＿ｉｄ）と９７９バイトのプレイコントロール情報デ
ータ（ＰＣＩ  ｄａｔａ）とにより、プレイコントロール・パケット（ＰＣＩ＿ＰＫＴ）
を構成する。６バイトのパケットヘッダー（Ｐａｃｋｅｔ  ｈｅａｄｅｒ）と１バイトの
サブストリーム識別子（Ｓｕｂ＿ｓｔｒｅａｍ＿ｉｄ）と１０１７バイトのデータサーチ
情報データ（ＤＳＩ  ｄａｔａ）とにより、データサーチ情報パケット（ＤＳＩ＿ＰＫＴ
）を構成する。
【００３６】
図３は図２中のプレイコントロール情報データ（ＰＣＩ  ｄａｔａ）の内容を説明する
ための図である。図３において、３１はプレイコントロール情報データの内容を示し、３
２はＰＣＩの一般情報の内容を示す。３３はＶＯＢＵのユーザ操作制御（ＶＯＢＵ＿ＵＯ
Ｐ＿ＣＴＬ）の内容を示す。
【００３７】
プレイコントロール情報データ（ＰＣＩ  ｄａｔａ）は、ＰＣＩの一般情報とノンシー
ムレス用アングル情報とハイライト情報と記録情報とを含んでいる。前記ＰＣＩの一般情
報は、ナビゲーションパックの論理ブロック、ビデオ・オブジェクト・ユニット（ＶＯＢ
Ｕ）のカテゴリ、ビデオ・オブジェクト・ユニット（ＶＯＢＵ）のユーザ操作制御、ビデ
オ・オブジェクト・ユニット（ＶＯＢＵ）の再生開始時間、ビデオ・オブジェクト・ユニ
ット（ＶＯＢＵ）の再生終了時間、ビデオ・オブジェクト・ユニット（ＶＯＢＵ）内シー
ケンス終了コードによる再生終了時間、セル経過時間、および予約の情報を含んでいる。
【００３８】
ビデオ・オブジェクト・ユニット（ＶＯＢＵ）のユーザ操作制御（ＶＯＢＵ＿ＵＯＰ＿
ＣＴＬ）情報は、タイトル・サーチ・ポインタ・テーブル（ＴＴ＿ＳＲＰＴ）によって各
ビデオ・タイトル・セット（ＶＴＳ）をサーチし、その先頭のビデオ・タイトル・セット
情報（ＶＴＳＩ）に基づいて、そのビデオ・タイトル・セットの最後のビデオ・オブジェ
クト・ユニット（ＶＯＢＵ）をサーチし、そのナビゲーションパック（ＮＶ＿ＰＣＫ）に
おけるプレイコントロール情報（ＰＣＩ）の一般情報から得ることができる。
【００３９】
ビデオ・オブジェクト・ユニット（ＶＯＢＵ）のユーザ操作制御（ＶＯＢＵ＿ＵＯＰ＿
ＣＴＬ）情報によれば、ユーザ操作ビットｂ３〜ｂ１６およびｂ１８〜ｂ２４により、対
応するユーザ機能のユーザ操作が制御される。各ユーザ操作ビットが０のときは対応する
ユーザ機能のユーザ操作を許可し、各ユーザ操作ビットが１のときは禁止することを意味
する。
【００４０】
図４は本実施形態においてユーザ操作に対する処理を説明するためのフローチャートで
ある。このフローチャートおよび図１〜図３を参照してユーザ操作に対する処理について
説明する。
【００４１】
この場合の光ディスク１はＤＶＤであり、この光ディスク１が装填されると、この光デ
ィスク再生装置のシステムコントローラ２２は、光ディスク１の装填を検出し（ステップ
Ｓ１）、光ディスク１を立ち上げる（ステップＳ２）。光ディスク１が立ち上がった後、
例えばリモコン２６の再生キーが押下され、この再生キーの押下をシステムコントローラ
２２が検出すると（ステップＳ３）、これにより、システムコントローラ２２は、サーボ
制御部４を介してスピンドルモータ５を回転させることにより、光ディスク１を回転させ
ると共に、サーボ制御部４を介して光ピックアップ２を駆動させて、光ディスク１の情報
の再生を開始させる（ステップＳ４）。
【００４２】
このような処理により再生が行われている時、システムコントローラ２２は、光ディス
ク１に対して再生中であると判定し（ステップＳ５）、ここで、例えばリモコン２６のタ
イトルサーチキーが押下されると、このタイトルサーチキーの押下は、タイトルを指定す
るサーチを行うためのユーザ操作として、システムコントローラ２２のユーザ操作認識手
段２２１により認識されて、タイトルサーチ要求が有ると判定されたときは（ステップＳ
６）、システムコントローラ２２の操作禁止／許可判定手段２２２は、ナビゲーションパ
ック（ＮＶ＿ＰＣＫ）に含まれるビデオ・オブジェクト・ユニット（ＶＯＢＵ）のユーザ
操作制御（ＶＯＢＵ＿ＵＯＰ＿ＣＴＬ）情報をチェックして、Ｔｉｔｌｅ＿Ｐｌａｙ（）
は禁止であるか否かを判定する（ステップＳ７）。
【００４３】
Ｔｉｔｌｅ＿Ｐｌａｙ（）は禁止であると判定されると、システムコントローラ２２の
再生一旦停止手段２２３は、再生を一旦停止させ（ステップＳ８）、システムコントロー
ラ２２の停止後再生手段２２４は、タイトルを指定するサーチを行うためのユーザ操作で
あるＴｉｔｌｅ＿Ｐｌａｙ（）を実行し、指定されたタイトルを再生させる（ステップＳ
９）。そして、再生が終了するまで、ステップＳ５〜Ｓ１０の処理を繰り返し、再生が終
了すると（ステップＳ１０）、本処理は終える。
【００４４】
なお、本実施形態では、再生中に、Ｔｉｔｌｅ＿Ｐｌａｙ（）があった場合に対する処
理について説明したが、これに限らず、Ｍｅｎｕ＿Ｃａｌｌ（）、ＰＴＴ＿Ｐｌａｙ（）
、ＰＴＴ＿Ｓｅａｒｃｈ（）、Ｔｉｍｅ＿Ｐｌａｙ（）、Ｔｉｍｅ＿Ｓｅａｒｃｈ（）な
どの処理をＤＶＤ規格に違反することなく、再生中のユーザ操作でも処理を実行可能にし
ている。
【００４５】
即ち、Ｍｅｎｕ＿Ｃａｌｌ（）を禁止している場合、再生を停止してから、Ｍｅｎｕ＿
Ｃａｌｌ（）の処理を実行する。ＰＴＴ＿Ｐｌａｙ（）を禁止している場合、再生を停止
してから、ＰＴＴ＿Ｐｌａｙ（）の処理を実行する。ＰＴＴ＿Ｓｅａｒｃｈ（）を禁止し
ている場合、再生を停止してから、ＰＴＴ＿Ｐｌａｙ（）の処理を実行する。ＴＴ（タイ
トル）番号には、直前に再生していたＴＴ番号を指定する。Ｔｉｍｅ＿Ｐｌａｙ（）を禁
止している場合、再生を停止してから、ＰＴＴ＿Ｐｌａｙ（）の処理を実行する。Ｔｉｍ
ｅ＿Ｓｅａｒｃｈ（）を禁止している場合、再生を停止してから、Ｔｉｍｅ＿Ｐｌａｙ（
）の処理を実行する。ＴＴ番号には、直前に再生していたＴＴ番号を指定する。
【００４６】
以上説明したように本実施形態によれば、光ディスクの情報の再生中にユーザ操作があ
った場合、当該ユーザ操作が禁止されているか許可されているかを判定し、禁止されてい
るとき、当該再生を一旦停止させ、この後、当該ユーザ操作による処理を実行させ、指定
された情報を再生させるように制御を行うシステムコントローラを備えたので、再生中に
ユーザ操作を禁止している、例えば、Ｔｉｔｌｅ＿Ｐｌａｙ（）、Ｍｅｎｕ＿Ｃａｌｌ（
）、ＰＴＴ＿Ｐｌａｙ（）、ＰＴＴ＿Ｓｅａｒｃｈ（）、Ｔｉｍｅ＿Ｐｌａｙ（）、Ｔｉ
ｍｅ＿Ｓｅａｒｃｈ（）などの処理をＤＶＤ規格に違反することなく、再生中のユーザ操
作でも処理を実行可能にしている。なお、光ディスクの再生を一旦停止させてから、前記
各処理を行うが、停止時には、再生中の映像は出画したままにしておいても良い。
【図面の簡単な説明】
【００４７】
【図１】本発明の一実施形態に係る光ディスク再生装置の構成を示すブロック図である。
【図２】前記実施形態においてＤＶＤビデオの光ディスクに記録されているデータ構造を示す図である。
【図３】図２中のプレイコントロール情報データ（ＰＣＩ  ｄａｔａ）の内容を説明するための図である。
【図４】前記実施形態においてユーザ操作に対する処理を説明するためのフローチャートである。
【図５】ＤＶＤビデオの光ディスクへの禁止情報の書込みによりユーザ操作を制御し得るユーザ機能を示す図である。
【符号の説明】
【００４８】
１    光ディスク
２２    システムコントローラ
２２１    ユーザ操作認識手段
２２２    操作禁止／許可判定手段
２２３    再生一旦停止手段
２２４    停止後再生手段
【図１】
2006338705.tif 000003
【図２】
2006338705.tif 000004
【図３】
2006338705.tif 000005
【図４】
2006338705.tif 000006
【図５】
2006338705.tif 000007